(57)【特許請求の範囲】
【請求項１】
現場作業員の作業を管理する管理サーバと、
前記現場作業員によって所持され、通信ネットワークを介して前記管理サーバにアクセス可能な携帯端末とを備え、
前記管理サーバは、前記現場作業員が保有する資格に関するデータを含む前記現場作業員の属性情報を作業員ＩＤと紐付けて管理する作業員データベースと、前記現場作業員の作業スケジュール及び作業実績を管理する作業管理データベースとを有し、
前記管理サーバは、前記携帯端末から送られてくる作業員ＩＤに基づいて、所定の作業現場で所定の作業をしようとする現場作業員が当該作業をするために必要な資格を保有しているかどうかを判断すると共に、前記携帯端末から送られてくる端末識別情報及び位置情報に基づいて、前記現場作業員が所定の日時に前記所定の作業現場にいるかどうかを判断することを特徴とする現場作業員管理システム。
【請求項２】
前記管理サーバは、前記所定の作業に必要な資格を保有する現場作業員が前記所定の日時に前記所定の作業現場にいると判断した場合に、前記携帯端末による作業手順データへのアクセスを許可し、前記現場作業員が前記所定の日時に前記所定の作業現場にいないと判断した場合に、前記携帯端末による作業手順データへのアクセスを拒否する、請求項１に記載の現場作業員管理システム。
【請求項３】
前記管理サーバは、前記所定の作業に必要な資格を保有する現場作業員が前記所定の日時に前記所定の作業現場にいないと判断した場合に、その旨のメッセージを指定の宛先に通報する、請求項２に記載の現場作業員管理システム。
【請求項４】
前記携帯端末内の管理アプリが前記現場作業員の作業スケジュールに従って自動的に起ち上がり、現在の携帯端末の前記位置情報を取得して送信する、請求項２又は３に記載の現場作業員管理システム。
【請求項５】
前記管理アプリは、前記作業手順データを作業ステップごとに表示すると共に、各作業ステップの終了時に作業ステップ完了フラグ及び前記位置情報を通知し、
前記管理サーバは、前記携帯端末から前記作業ステップごとに送られてくる前記作業ステップ完了フラグ及び前記位置情報を受け付ける、請求項４に記載の現場作業員管理システム。
【請求項６】
前記管理サーバは、前記所定の作業の節目ごとに施工写真の撮影を要求し、
前記携帯端末は、前記管理アプリを通じて撮影された施工写真を前記管理サーバにアップロードする、請求項４又は５に記載の現場作業員管理システム。
【請求項７】
前記携帯端末は、前記施工写真の撮影を要求する作業ステップにおいて前記現場作業員が前記施工写真を撮影してアップロードするまで当該携帯端末の他の動作を制限する、請求項６に記載の現場作業員管理システム。
【請求項８】
前記携帯端末又は前記管理サーバは、少なくとも作業現場の名称及び作業日時を含む情報を示すフレームを前記施工写真に合成する、請求項６又は７に記載の現場作業員管理システム。
【請求項９】
前記管理サーバは、前記現場作業員の前記作業現場での作業中に前記携帯端末から定期的又は不定期に送られてくる複数の位置情報の時系列を、前記現場作業員の作業中の行動履歴として当該現場作業員の作業実績データとともに記録する、請求項１乃至８のいずれか一項に記載の現場作業員管理システム。
【請求項１０】
前記通信ネットワークを介して前記管理サーバにアクセス可能な管理端末をさらに備え、
前記管理端末は、前記現場作業員の作業実績データとの相関が分かるように前記現場作業員の前記行動履歴を表示する、請求項９に記載の現場作業員管理システム。
【請求項１１】
前記管理サーバは、前記携帯端末から送られてくる位置情報に基づいて、前記現場作業員が出向いている作業現場を特定すると共に、前記携帯端末から送られてくる作業員ＩＤに基づいて当該現場作業員が保有する資格を検索し、前記現場作業員が出向いている作業現場で当該現場作業員が作業可能な現場作業の検索結果一覧を前記携帯端末に提供する、請求項１乃至１０のいずれか一項に記載の現場作業員管理システム。
【請求項１２】
前記管理サーバは、前記現場作業員が前記検索結果一覧の中から所望の現場作業を選択することにより前記携帯端末から送信されるリクエストデータを受信したとき、前記携帯端末による作業手順データへのアクセスを許可する、請求項１１に記載の現場作業員管理システム。
【請求項１３】
前記位置情報はＧＰＳ位置情報を含む、請求項１乃至１２のいずれか一項に記載の現場作業員管理システム。
【発明の詳細な説明】
【技術分野】
【０００１】
本発明は、ＧＰＳ（Global Positioning System）等の位置情報を利用して現場作業員を管理する管理システムに関するものである。
【背景技術】
【０００２】
建設現場では多くの作業員が様々な作業に関わっている。作業内容によっては作業員に一定の資格が必要であり、その資格も国家資格から民間の実務研修に至るまで多岐にわたっている。例えば非特許文献１には、日本の建設に関する国家資格及び民間資格の一覧が開示されている。
【０００３】
施工品質を確保するため、作業員には所定の作業手順に従って業務を遂行することが求められている。また、施工状況の証拠となる現場の施工写真を撮影して施工管理者や施主に提出する必要があり、施工管理者は作業員からの施工報告を十分に確認しなければならない。
【０００４】
住宅の施工品質を容易に確認する技術として、例えば特許文献１には、品質評価スケジュール情報に基づいて建築現場を撮影し、当該撮影画像を品質評価項目と対応付けて記憶し、住宅の品質が所定基準以上であるか否かを確認することが記載されている。また、特許文献２には、カメラ付き携帯電話で撮影した施工画像を管理サーバに送り、管理サーバ側で施工画像を一元管理し、施工報告書の作成を簡単に行うようにすることが記載されている。さらに特許文献３には、作業場所が広範囲に及ぶ例えば住宅建設業などにおける作業内容の指示や作業後の確認行為を、作業に関わる人の役割に応じた各種チェックシートを用いて、スマートフォンやタブレット、パソコンなどでリアルタイムに確認・登録が行えるシステムが記載されている。
【先行技術文献】
【特許文献】
【０００５】
【特許文献１】特開２００４−２８０５４５号公報
【特許文献２】特許第５２３７０７０号公報
【特許文献３】特許第５５７９９４６号公報
【非特許文献】
【０００６】
【非特許文献１】"日本の建設に関する資格一覧"、［online］、平成２８年１月１２日、インターネット＜ＵＲＬ：https://ja.wikipedia.org/wiki/%E6%97%A5%E6%9C%AC%E3%81%AE%E5%BB%BA%E8%A8%AD%E3%81%AB%E9%96%A2%E3%81%99%E3%82%8B%E8%B3%87%E6%A0%BC%E4%B8%80%E8%A6%A7＞
【発明の概要】
【発明が解決しようとする課題】
【０００７】
近年、建設現場の増加や職人不足などから施工品質の低下が問題となっている。また上記のように建設現場での各種作業には一定の資格を要求するものが多いが、本当に有資格者が現場に出向いて作業を行っているかどうか疑わしいケースもある。有資格者による施工であれば一定の施工品質が維持されるものと期待できるが、無資格者による施工は施工品質の低下につながり、重大な問題である。また例えば太陽光パネルの設置工事など、設備によっては有資格者が施工しなければ保証書が発行されないケースもあり、有資格者によって施工が行われたかどうかは施工管理者にとって非常に重要な問題である。
【０００８】
しかしながら、従来は、所定の作業現場で所定の作業をしようとする現場作業員が当該作業をするために必要な資格を本当に持っているかどうかを確認することができず、無資格者による施工を抑止することも難しかった。さらにまた、資格の有無を問わず個人の力量の違いで施工品質に大きな差が出るという問題もあり、施工品質の向上が求められている。
【０００９】
本発明は上記課題を解決するためになされたものであり、本発明の目的は、現場から離れた遠隔地から現場作業員を管理して施工品質を向上させることが可能な現場作業員管理システムを提供することにある。
【課題を解決するための手段】
【００１０】
上記課題を解決するため、本発明による現場作業員管理システムは、現場作業員の作業を管理する管理サーバと、前記現場作業員によって所持され、通信ネットワークを介して前記管理サーバにアクセス可能な携帯端末とを備え、前記管理サーバは、前記現場作業員が保有する資格に関するデータを含む前記現場作業員の属性情報を作業員ＩＤと紐付けて管理する作業員データベースと、前記現場作業員の作業スケジュール及び作業実績を管理する作業管理データベースとを有し、前記管理サーバは、前記携帯端末から送られてくる作業員ＩＤに基づいて、所定の作業現場で所定の作業をしようとする現場作業員が当該作業をするために必要な資格を保有しているかどうかを判断すると共に、前記携帯端末から送られてくる端末識別情報及び位置情報に基づいて、前記現場作業員が所定の日時に前記所定の作業現場にいるかどうかを判断することを特徴とする。
【００１１】
本発明によれば、現場で作業しようとする作業員が当該作業を行うために必要な資格を保有するかどうかを現場に出向くことなく遠隔地からチェックすることができる。したがって、無資格者による施工を抑止することができ、信頼性の向上を図ることができる。
【００１２】
本発明において、前記管理サーバは、前記所定の作業に必要な資格を保有する現場作業員が前記所定の日時に前記所定の作業現場にいると判断した場合に、前記携帯端末による作業手順データへのアクセスを許可し、前記現場作業員が前記所定の日時に前記所定の作業現場にいないと判断した場合に、前記携帯端末による作業手順データへのアクセスを拒否することが好ましい。また前記管理サーバは、前記所定の作業に必要な資格を保有する現場作業員が前記所定の日時に前記所定の作業現場にいないと判断した場合に、その旨のメッセージを指定の宛先に通報することが好ましい。このように、管理サーバ内の作業手順データへのアクセスを制御することにより、施工品質の向上を図ることができ、無資格者による作業を抑止する効果を高めることができる。
【００１３】
本発明においては、前記携帯端末内の管理アプリが前記現場作業員の作業スケジュールに従って自動的に起ち上がり、前記管理アプリが現在の携帯端末の位置情報を取得して送信することが好ましい。このようにすることで、指定の現場作業員が指定の日時に現場に出向いたかどうかを確実にチェックすることができる。
【００１４】
本発明において、前記管理アプリは、前記作業手順データを作業ステップごとに表示すると共に、各作業ステップの終了時に作業ステップ完了フラグ及び位置情報を通知し、前記管理サーバは、前記携帯端末から前記作業ステップごとに送られてくる前記作業ステップ完了フラグ及び前記位置情報を受け付けることが好ましい。このように、作業ステップごとに位置情報を取得することで現場作業員の行動履歴を細かく評価することができ、作業効率の改善を図るためのデータとして活用することができる。
【００１５】
本発明において、前記管理サーバは、前記所定の作業の節目ごとに施工写真の撮影を要求し、前記携帯端末は、前記管理アプリを通じて撮影された施工写真を前記管理サーバにアップロードすることが好ましい。この場合において、前記携帯端末は、前記施工写真の撮影を要求する作業ステップにおいて前記現場作業員が前記施工写真を撮影してアップロードするまで当該携帯端末の他の動作を制限することが好ましい。このようにすることで、現場作業員による施工写真の撮り忘れを防止し、業務効率を高めると共に、施工写真が他の現場で流用される事態を防止することができる。
【００１６】
本発明において、前記携帯端末又は前記管理サーバは、少なくとも作業現場の名称及び作業日時を含む情報を示すフレームを前記施工写真に合成することが好ましい。これによれば、施工写真の撮影作業の効率化を図ることができ、また施工写真が他の現場で流用される事態を防止することができる。
【００１７】
本発明において、前記管理サーバは、前記現場作業員の前記作業現場での作業中に前記携帯端末から定期的又は不定期に送られてくる複数の位置情報の時系列を、前記現場作業員の作業中の行動履歴として当該現場作業員の作業実績データとともに記録することが好ましい。これによれば、現場作業員の行動履歴を作業ステップと関連付けて細かく評価することができ、作業効率の改善を図るためのデータとして活用することができる。
【００１８】
本発明による現場作業員管理システムは、インターネットを介して前記管理サーバにアクセス可能な管理端末をさらに備え、前記管理端末は、前記現場作業員の作業実績データとの相関が分かるように前記現場作業員の前記行動履歴を表示することが好ましい。これによれば、現場作業員の行動パターンと作業効率との相関を可視化することができ、現場作業の効率化のためのツールとして活用することができる。
【発明の効果】
【００１９】
本発明によれば、現場から離れた遠隔地から現場作業員を管理して施工品質を向上させることが可能な現場作業員管理システムを提供することができる。
【図面の簡単な説明】
【００２０】
【図１】図１は、本発明の実施の形態による現場作業員管理システムの構成を概略的に示す図である。
【図２】図２は、管理サーバ２の機能ブロック図である。
【図３】図３は、データベース４の構成を示すブロック図である。
【図４】図４は、携帯端末３の機能ブロック図である。
【図５】図５は、現場作業員管理システム１の動作について説明するためのフローチャートである。
【図６】図６は、現場作業員管理システム１の動作について説明するためのフローチャートである。
【図７】図７は、現場作業員管理システム１の動作について説明するためのフローチャートである。
【図８】図８（ａ）〜（ｆ）は、作業手順表示画面の一例を示す図である。
【図９】図９は、管理アプリを通じて撮影される施工画像の一例を示す図である。
【図１０】図１０は、管理端末５に表示される作業管理画面の一例を示す図であって、（ａ）は現場作業員の作業実績データ、（ｂ）は別の現場作業員の作業実績データをそれぞれ示すものである。
【発明を実施するための形態】
【００２１】
以下、添付図面を参照しながら、本発明の好ましい実施の形態について詳細に説明する。
【００２２】
図１は、本発明の実施の形態による現場作業員管理システムの構成を概略的に示す図である。
【００２３】
図１に示すように、現場作業員管理システム１は、現場作業員の作業スケジュール及び作業実績を管理する管理サーバ２と、現場作業員によって所持されるスマートフォン等の携帯端末３と、管理サーバ２が管理しているデータベースの閲覧が可能な管理端末５とを備えている。携帯端末３は、携帯電話回線網や公衆無線ＬＡＮ等の無線ネットワークを通じてインターネット９などの公衆通信ネットワークに接続することができ、インターネット９を介して管理サーバ２と通信可能となっている。管理端末５もインターネット９を介して管理サーバ２に接続されている。
【００２４】
管理サーバ２は、現場作業員を管理する施工会社などが運営・管理する情報処理装置である。この管理サーバ２は、例えば、ワークステーションやパーソナルコンピュータであって、サーバとしての一般的なハードウェア構成を有している。すなわち、管理サーバ２は、ＣＰＵ（Central Processing Unit）等の制御部、ハードディスク、メモリ等のデータ記憶部、キーボード、マウス等の入力部、ディスプレイ等の表示部、ＮＩＣ（Network Interface Card）等の通信部を有している。管理サーバ２のハードウェア構成はその機能を実現できる限りにおいて特に限定されず、単一のマシンで構成されていてもよく、複数台のマシンを組み合わせて構成されたものであってもよい。さらに管理サーバ２はクラウドやブロックチェーンとして構成されたものであってもよい。
【００２５】
携帯端末３は、現場作業員が利用する情報処理装置である。携帯端末３はスマートフォンであることが好ましいが、カメラ機能及びＧＰＳ機能を有するタブレット端末やフューチャーフォン（ガラケー）であってもよい。携帯端末３は、ＣＰＵ等の制御部、メモリ等のデータ記憶部、携帯電話回線網や公衆無線ＬＡＮを介してデータ通信を行う無線通信部、タッチパネルディスプレイ等の入力部及び表示部、カメラモジュール、ＧＰＳモジュール等を有している。
【００２６】
作業員は様々な現場に出向いて実際に作業を行う。図１は４人の作業員Ｗ１、Ｗ２、Ｗ３、Ｗ４のうち作業員Ｗ１、Ｗ２が現場Ｐ１に、作業員Ｗ３が現場Ｐ２に、作業員Ｗ４が現場Ｐ３に出向いていることを示している。
【００２７】
複数のデータベース４は、作業員データベース４Ａ、作業管理データベース４Ｂ及び資料データベース４Ｃで構成されている。作業員データベース４Ａは、作業員の氏名、所属、保有資格等の属性情報を管理するデータベースである。作業管理データベース４Ｂは、現場ごとの作業員の作業スケジュール及び作業実績を管理するデータベースである。またまた作業管理データベース４Ｂには各作業員の携帯端末３のＧＰＳ位置情報がその取得時刻と共に蓄積されている。資料データベース４Ｃには現場図面データ、設置設備に関する資料等が保存されている。
【００２８】
管理端末５は、デスクトップＰＣ、ラップトップＰＣ、ノートＰＣ等のパーソナルコンピュータであることが好ましいが、タブレット端末やスマートフォンであってもよい。管理端末５もコンピュータとしての周知な構成を有していればよい。管理端末５は、携帯端末３から管理サーバ２に適時送られてくる現場作業員の作業実績データをリアルタイムに表示することができる。この場合、管理端末５は、特別なアプリケーションプログラムをインストールすることなく、Ｗｅｂブラウザの組み込みプログラム又は追加プログラムを利用して現場管理サービスを利用できることが好ましい。
【００２９】
管理サーバ２にはオペレーションシステム（ＯＳ）等の基本プログラムの他、現場作業員管理サービスの提供に必要な各種ソフトウェアがインストールされている。管理サーバ２にインストールされるソフトウェアは、例えばデータベースサーバ、Ｗｅｂサーバ、ＦＴＰサーバ等である。そして管理サーバ２の制御部がプログラム又はデータを処理し、ハードウェア全体が制御部の指示に従って動作することにより、以下の機能ブロックが実現される。
【００３０】
図２は、管理サーバ２の機能ブロック図である。
【００３１】
図２に示すように、管理サーバ２は、作業員データベース４Ａと共に作業員の属性情報を管理する作業員管理部２ａと、作業管理データベース４Ｂと共に各作業員の作業スケジュール及び作業実績を管理する作業管理部２ｂと、各作業員が所持する携帯端末３からのログインを認証するログイン認証部２ｃと、携帯端末３や管理端末５に電子メールその他のメッセージを送信するメッセージ送信部２ｄとを備えている。さらに管理サーバ２は、データベース４を備えており、データベース４は、作業員データベース（作業員ＤＢ）４Ａ、作業管理データベース（作業管理ＤＢ）４Ｂ、資料データベース（資料ＤＢ）４Ｃを構成している。
【００３２】
図３は、データベース４の構成を示すブロック図である。
【００３３】
図３に示すように、作業員データベース４Ａは、作業員属性テーブルＴ１、資格テーブルＴ２、資格マスターテーブルＴ３等を有している。作業員属性テーブルＴ１は、作業員の属性情報が記録されるテーブルであって、「作業員ＩＤ」、「氏名」、「所属」、「性別」、「年齢」、「電話番号」、「メールアドレス」、「ＭＡＣアドレス」（端末識別情報）、「ログインパスワード」等のデータフィールドを含む。資格テーブルＴ２は、「資格ＩＤ」、「作業員ＩＤ」、「資格コード」、「（資格の）有効期限」等のデータフィールドを含む。資格マスターテーブルＴ３は、「資格コード」、「資格名」、「資格区分」等のデータフィールドを含む。
【００３４】
作業管理データベース４Ｂは、作業テーブルＴ４、作業明細テーブルＴ５、現場テーブルＴ６、ＧＰＳ位置情報テーブルＴ７、作業マスターテーブルＴ８等を有している。作業テーブルＴ４は、現場作業が記録されたテーブルであって、「作業ＩＤ」、「作業コード」、「現場ＩＤ」、「作業開始予定日時」、「作業終了予定日時」、「作業員ＩＤ（予定）」、「作業開始日時」、「作業終了日時」、「作業員ＩＤ（実績）」等のデータフィールドを含む。作業明細テーブルＴ５は、「作業明細ＩＤ」、「作業コード」、「作業内容説明」、「作業明細開始日時」、「作業明細終了日時」、「写真要求フラグ」、「写真保存先パス」、「資料ＩＤ」等のデータフィールドを含む。現場テーブルＴ６は、「現場ＩＤ」、「現場名称」、「現場住所」、「（現場）位置情報」、「施主名」、「現場責任者メールアドレス」等のデータフィールドを含む。
【００３５】
ＧＰＳ位置情報テーブルＴ７は、「ＧＰＳ位置情報ＩＤ」、「作業コード」、「ＧＰＳ位置情報」、「記録日時」等のデータフィールドを含む。作業マスターテーブルＴ８は、「作業コード」、「作業内容」、「（必要な）資格コード」等のデータフィールドを含む。「ＧＰＳ位置情報」とは、ＧＰＳによって測定された経度データ、緯度データ及び高度データのことを言い、他の測位手段と組み合わせて位置精度を向上させたデータであることが好ましい。
【００３６】
各作業員の作業スケジュールは作業テーブルＴ４に記録されている。作業に必要な資格は作業マスターテーブルＴ８に記録されており、また各作業員が保有する資格は作業員データベース４Ａの資格テーブルに記録されている。作業管理部２ｂは、作業テーブルＴ４に「作業員ＩＤ」が登録される際に、作業員データベース４Ａを参照して当該作業員の保有資格をチェックし、必要な資格を保有していない作業員の作業テーブルＴ４への登録を拒否するようになっている。
【００３７】
資料データベース４Ｃは、資料テーブルＴ９等を有している。資料テーブルＴ９は、「資料ＩＤ」、「現場ＩＤ」、「作業コード」、「資料種別」、「資料データ（写真データ等）」、「登録日時」等のデータフィールドを含む。
【００３８】
一方、携帯端末３にはＯＳ等の基本プログラムの他、様々なアプリケーションプログラムがインストールされている。特に、管理サーバ２から情報サービスの提供を受けるため、携帯端末３には、現場作業員管理用アプリケーションプログラム（以下、「管理アプリ」という）がインストールされている。そして、携帯端末３の制御部がプログラム及びデータを処理し、ハードウェア全体が制御部の指示に従って動作することにより、以下の機能ブロックが実現される。
【００３９】
図４は、携帯端末３の機能ブロック図である。
【００４０】
図４に示すように、携帯端末３は、作業員の作業スケジュールに基づいて管理サーバ２へのログインを制御するログイン制御部３ａと、作業ステップを管理する作業管理部３ｂと、作業手順及び作業内容を表示する作業表示部３ｃと、作業ステップごとに作業結果の入力を受け付ける作業入力部３ｄと、施工写真を撮影して管理サーバに送信する写真撮影部３ｅ、ＧＰＳ位置情報を取得して管理サーバ２に送信するＧＰＳ位置情報生成部３ｆとを備えている。
【００４１】
次に、図５〜図７のフローチャートを参照しながら、現場作業員管理システム１の動作について説明する。
【００４２】
まず図５に示すように、作業管理データベース４Ｂに予めスケジュール登録されている指定の現場作業員（例えば作業員Ｗ１）の携帯端末３内の管理アプリは、指定の日時に自動的に立ち上がって管理サーバ２にログインを要求する（ステップＳ１１）。ログイン要求時には作業員ＩＤ等のログインＩＤ、ログインパスワード、ＭＡＣアドレス等の端末識別情報、ＧＰＳ位置情報などが送信され、管理サーバ２側でログイン認証が行われる。管理アプリは、ＧＰＳ位置情報に基づく携帯端末３の現在位置が作業現場付近であると判断した場合に限り、指定の日時にオートログインを開始してもよい。
【００４３】
作業員Ｗ１の携帯端末３のログインが許可されると（ステップＳ１２）、携帯端末３の管理アプリはＧＰＳ位置情報を取得して送信する（ステップＳ１３）。管理サーバ２は、携帯端末３からのＧＰＳ位置情報に基づいて、携帯端末３を所持する作業員Ｗ１が指定の作業現場（例えば現場Ｐ１）にいるかどうかを判断する。管理サーバ２は、作業員データベース４Ａを検索して作業員ＩＤに紐づけられた作業員の資格データを読み出し、当該作業員が当該作業現場で所定の作業をする資格を有するかどうかを判断する。現場作業日時は、受信日時とスケジュール日時とを比較することで判断することができる。さらに作業現場の情報は、携帯端末３からのＧＰＳ位置情報とスケジュール管理された現場の位置情報とを比較することで判断することができる。また特に、携帯端末３の現在位置が作業現場内であるかどうかを判断は、作業管理データベース４ＢのＧＰＳ位置情報テーブルＴ７に蓄積されている多量のＧＰＳ位置情報に基づいて行うことができる。
【００４４】
作業員Ｗ１が指定の作業現場Ｐ１にいると判断した場合（ステップＳ１４Ｙ）、管理サーバ２は当該現場作業員の携帯端末３からの作業手順データへのアクセスを許可する（ステップＳ１５）。その後、管理アプリは作業手順データを管理サーバ２からダウンロードして作業案内を開始する。一方、作業員Ｗ１が指定の作業現場Ｐ１にいないと判断した場合（ステップＳ１４Ｎ）、管理サーバ２は当該携帯端末３からの作業手順データへのアクセスを拒否する（ステップＳ１６）。さらに、有資格者の現場作業員が作業現場にいないと判断した場合、管理サーバ２はその旨のメッセージを現場責任者の電子メールアドレス等の指定の宛先に通報する。
【００４５】
このように、指定の作業現場での作業に必要な資格を保有する作業員Ｗ１が当該作業現場に出向いている場合には、管理アプリによる作業案内が自動的に開始されるが、作業員Ｗ１が現場に出向いていない場合には、作業案内を開始できないので、指定の現場作業員本人が必ず現場に行くように働きかけることができる。
【００４６】
指定の現場作業員の携帯端末３を他の作業員に貸し出した場合には他の作業員が本人に成りすまして現場作業を行うことも可能である。しかし、他人に携帯端末３を貸し出している最中は、本人が携帯端末３を使用することができず、例えば他人からかかってきた電話に出ることができなかったり、他の作業員が携帯端末３を紛失したり破損させたりした場合の責任の所在など、様々な不都合がある。そのため、他の作業員に自分の携帯端末３を貸し出してまで成りすましを行うことはほとんどないと考えられる。
【００４７】
指定の現場作業員が指定の現場に出向くことができない場合、同等の資格を有する他の作業員が指定の日時に指定の作業現場に出向いて指定の現場作業員の作業を代行することができる。この場合、図６に示すように、指定の日時に作業現場に出向いた代理の現場作業員は管理アプリを手動で起ち上げて管理サーバ２にログインする必要がある（ステップＳ２１、Ｓ２２）。このとき、代理の現場作業員が所持する携帯端末３内の管理アプリから管理サーバ２にＧＰＳ位置情報が送信される（ステップＳ２３）。
【００４８】
次に、代理の現場作業員は作業管理データベース４Ｂを検索する（ステップＳ２４）。管理サーバ２は、ログイン要求時に携帯端末３から送られてきたＧＰＳ位置情報に基づいて作業現場を特定すると共に、作業員ＩＤから当該作業員が保有する資格を検索し、当該作業員が作業可能な現場作業の検索結果を表示する。すなわち、代理の現場作業員が保有する資格に対応する現場作業の検索結果一覧を表示する。なお指定の現場作業員が資格を保有していない場合、現場作業の検索結果はヒットせず、現場作業を請け負うことはできない。
【００４９】
代理の現場作業員は、携帯端末３に表示されている複数の作業の中から所望の現場作業を選択し、現場作業員の変更をリクエストすると（ステップＳ２５）、その旨が管理サーバ２に通知され、管理サーバ２は変更後の現場作業員の携帯端末３からの作業手順データへのアクセスを許可する（ステップＳ２６）。
【００５０】
こうして、有資格者の現場作業員が作業現場にいると判断され、当該現場作業員の携帯端末からの作業手順データへのアクセスが許可されると、現場作業員は携帯端末３を見ながらこの作業手順に従って現場作業を行う。
【００５１】
図７に示すように、作業手順データへのアクセスが許可された携帯端末３は、管理サーバ２から作業手順データをダウンロードした後、個々の作業ステップを順に表示する（ステップＳ３１）。なお携帯端末３は、すべての作業ステップのデータを一括でタウンロードしてもよく、作業ステップごとにその都度ダウンロードしてもよい。
【００５２】
作業ステップの終了時に施工写真を撮影する必要がある場合には（ステップＳ３２Ｙ、Ｓ３３Ｙ）、画面案内に従って写真撮影が行われ、施工写真は作業実績データとして管理サーバ２にアップロードされる（ステップＳ３４）。作業ステップが終了するとその旨（作業ステップ完了フラグ）が作業実績データとして管理サーバ２に通知され（ステップＳ３２Ｙ、Ｓ３５）、作業管理データベース４Ｂに記録される。そしてすべての作業ステップが終了すると、現場作業が完了となる（ステップＳ３６Ｙ）。
【００５３】
図８は、作業手順表示画面の一例を示す図である。
【００５４】
図８（ａ）〜（ｆ）に示すように、携帯端末３の管理アプリは、作業ステップごとに作業説明をポップアップ表示する。図８（ａ）は作業案内の開始画面であり、「作業開始」ボタン６１をタップすることで図８（ｂ）に示す作業概要の表示画面に移行する。図８（ｂ）の作業概要の表示画面において「次へ」ボタン６２をタップすると、作業ステップに移行する。また「中止」ボタン６６がタップされた場合には作業案内を中止し、「戻る」ボタン６７がタップされた場合には一つ前の画面に戻る。
【００５５】
図８（ｃ）に示す作業ステップ(1)の表示画面は、作業ステップを単に説明する画面の一例であり、「作業完了」ボタンをクリックすることで次の作業ステップに移ることができる。現場作業員が「次へ」ボタン６２をクリックすると、管理サーバに作業完了フラグが通知され、作業実績データとして当該作業ステップの終了が記録され、管理サーバのデータベースが自動更新される。
【００５６】
図８（ｄ）に示す作業ステップ(2)の表示画面は、施工写真を撮影しなければ現在の作業ステップを完了して次の作業ステップに移ることができない表示画面の一例である。管理アプリは、作業の節目ごとに施工写真を撮影することを要求し、現場作業員が「施工写真撮影」ボタン６３をタップすることでカメラ機能が起動して写真撮影が可能となる。こうして管理アプリを通じて撮影された施工写真は、作業完了フラグの通知とともに管理サーバ２にアップロードされ、管理サーバ２のデータベース４が自動更新される。
【００５７】
施工写真の撮影を要求する作業ステップでは、現場作業員が施工写真を撮影して管理サーバ２にアップロードするまで当該携帯端末３の他の動作を制限することが好ましい。このようにすることで、施工写真の撮影を強制することができ、施工写真の撮り忘れを防止することができる。
【００５８】
図８（ｅ）に示す作業ステップ(3)の表示画面は、当該作業ステップに紐づけられた関連資料にアクセスして表示することが可能な画面の一例である。関連資料は各種図面データや設備マニュアルなどであり、資料データベースに保存されているものである。「関連資料」ボタン６４をタップすることでそれらの関連資料を表示することができる。
【００５９】
すべての作業ステップが終了すると、図８（ｆ）に示す作業完了画面が表示され、「閉じる」ボタン６５をタップすることで作業完了となる。こうして自動的に蓄積された作業実績データは、作業員データベース４Ａ及び作業管理データベース４Ｂにフィードバックされ、今後の施工管理に活用される。例えば、現場作業員に紐づけられた作業実績データは、現場作業員の経験及び技量を評価するための指標として活用することができる。また作業実績データは、別の現場で同様の作業をする現場作業員の参考資料として活用することができる。
【００６０】
図９は、管理アプリを通じて撮影される施工画像の一例を示す図である。
【００６１】
図９に示すように、現場作業員が管理アプリを通じて撮影した施工写真には、作業現場名及び作業日時を含む情報が表示されたフレームが合成されることが好ましく、当該フレームにはＧＰＳ位置情報が含まれることがさらに好ましい。撮影画像の加工は携帯端末３上で行われてもよく、管理サーバ２上で行われてもよい。通常、施工写真を撮影するときには、施工現場の情報を黒板に記載し、黒板も一緒に写るように施工写真を撮影する必要があるが、そのような黒板を作成する作業は面倒であり、業務の効率化が必要である。本実施形態においては、作業管理データベースに記録されている情報を用いて施工写真を加工するので、施工写真の加工時に特別なデータ入力は不要であり、業務の効率化を図ることができる。また施工写真が別の現場で流用されることを防止することもできる。
【００６２】
現場作業中に携帯端末３の管理アプリから定期的又は不定期に取得される複数のＧＰＳ位置情報の時系列（ＧＰＳログ）は、現場作業の開始から終了までの現場作業員の行動履歴として作業管理データベース４ＢのＧＰＳ位置情報テーブルＴ７に記録される。ＧＰＳ位置情報は、「作業完了」ボタン又は「写真撮影」ボタンがクリックされたタイミングで作業完了フラグの通知と一緒に送信されてもよい。
【００６３】
管理端末５は、携帯端末３からのＧＰＳ位置情報及び蓄積された位置情報、写真データ、現場作業員の入力データなどの情報に基づいて、所定の資格を有する現場作業員が所定の作業現場で所定の作業手順に従って正しく作業をしているかどうかを管理することができる。特に、作業管理データベース４Ｂに保存された現場作業員の作業実績データは、管理端末５の画面上で閲覧することができる。管理端末５の画面には、作業実績データとの相関が分かるようにＧＰＳログを表示することができる。すなわち、作業の進捗状況と共にＧＰＳログを時系列で表示することができる。
【００６４】
図１０は、管理端末５に表示される作業管理画面の一例を示す図であって、（ａ）は現場作業員の作業実績データ、（ｂ）は別の現場作業員の作業実績データをそれぞれ示すものである。
【００６５】
図１０（ａ）及び（ｂ）に示すように、作業管理画面７０には、作業名や作業員名などの書誌事項が表示される書誌事項表示エリア７１と、現場作業員のマッピングされた行動履歴を表示する行動履歴表示エリア７２と、現場作業員の作業ステップを時刻に関連付けて表示する作業実績表示エリア７３と、時刻変更ツマミ７４ａが設けられた時刻インジケータ７４とが設けられている。作業実績表示エリア７３において「作業ステップ(2)」の右側に設けられた「PICT」マーク７３ａは、作業ステップ(2)において施工写真が撮影されたことを示しており、このアイコンをクリックすると施工写真が表示される。
【００６６】
行動履歴表示エリア７２及び作業実績表示エリア７３において、現在位置は色付きマークで示されている。時刻変更ツマミ７４ａを操作して時刻を変更すると、行動履歴表示エリア７２及び作業実績表示エリア７３において色付きマークが移動する。行動履歴表示エリア７２には、取得したすべてのＧＰＳ位置情報が丸印でマッピングされている。ＧＰＳ位置情報の種類でフィルタリングしてその一部を選択的に表示してもよい。現在進行中の作業については、携帯端末３から送られてくるＧＰＳ位置情報及び作業実績データがリアルタイムに表示される。
【００６７】
図１０（ａ）に示すように、例えばある現場作業員（「鈴木一郎」氏）は、すべての作業を終わらせるのに長時間を要しており、行動パターンに無駄があることが作業管理画面から分かる。また図１０（ｂ）に示すように、別の現場作業員（「山本健二」氏）は、各作業ステップを短時間で終わらせており、行動パターンに無駄がないことが作業管理画面から分かる。このように、管理端末５は、現場作業員の作業実績データとの相関が分かるように現場作業員の行動履歴（トラックレコード）を表示するので、現場作業員の技量を可視化して細かく評価することができる。例えば、太陽光発電所の敷地内の草刈り作業などは個人の力量によって作業実績がまるで違うという問題があるが、このような問題を解決し、現場作業員の作業効率の改善及び現場作業の効率化を図るためのツールとして活用することができる。
【００６８】
以上説明したように、本実施形態による現場作業員管理システム１は、所定の作業現場の属性情報のデータベースをもとに所定の作業をしようとする現場作業員が当該作業をするために必要な資格を持っているかどうかをデータベースで照合して確認するので、無資格者による現場作業を抑止することができ、法令順守と施工品質の向上を図ることができる。また、本実施形態によれば、携帯端末からのＧＰＳ位置情報、データベースに蓄積された各種位置情報、写真データ、現場作業員の入力データなどの情報に基づいて、所定の資格を有する現場作業員が所定の作業現場で所定の作業手順に従って正しく作業をしているかどうかを管理することができる。したがって、現場作業員の技量を評価することができ、技量の改善を図ることができる。
【００６９】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００７０】
例えば、図４に示したデータベース構造は一例であってこれに限定されるものではない。また管理サーバ２の構成もその機能を実現できる限りにおいて様々な形態をとることができる。また現場作業の種類は工事現場に限定されず、様々な現場作業を対象とすることができる。
【符号の説明】
【００７１】
１    現場作業員管理システム
２    管理サーバ
２ａ    作業員管理部
２ｂ    作業管理部
２ｃ    ログイン認証部
２ｄ    メッセージ送信部
３    携帯端末
３ａ    ログイン制御部
３ｂ    作業管理部
３ｃ    作業表示部
３ｄ    作業入力部
３ｅ    写真撮影部
３ｆ    情報生成部
４    データベース
４Ａ    作業員データベース
４Ｂ    作業管理データベース
４Ｃ    資料データベース
５    管理端末
９    インターネット
６１    「作業開始」ボタン
６２    「次へ」ボタン
６３    「施工写真撮影」ボタン
６４    「関連資料」ボタン
６５    「閉じる」ボタン
６６    「中止」ボタン
６７    「戻る」ボタン
７０    作業管理画面
７１    書誌事項表示エリア
７２    行動履歴表示エリア
７３    作業実績表示エリア
７３ａ    「PICT」マーク
７４    時刻インジケータ
７４ａ    時刻変更ツマミ
Ｔ１    作業員属性テーブル
Ｔ２    資格テーブル
Ｔ３    資格マスターテーブル
Ｔ４    作業テーブル
Ｔ５    作業明細テーブル
Ｔ６    現場テーブル
Ｔ７    位置情報テーブル
Ｔ８    作業マスターテーブル
Ｔ９    資料テーブル
【要約】
【課題】現場から離れた遠隔地から現場作業員を管理して施工品質を向上させる。
【解決手段】現場作業員管理システム１は、現場作業員の作業を管理する管理サーバ２と、現場作業員によって所持され、通信ネットワークを介して管理サーバにアクセス可能な携帯端末３とを備える。管理サーバ２は、現場作業員が保有する資格に関するデータを含む現場作業員の属性情報を管理する作業員データベースと、現場作業員の作業スケジュール及び作業実績を管理する作業管理データベースとを有する。管理サーバ２は、携帯端末３から送られてくる現場作業員の属性情報に基づいて、所定の作業現場で所定の作業をしようとする現場作業員が当該作業をするために必要な資格を保有しているかどうかを判断すると共に、携帯端末３から送られてくる端末識別情報及び位置情報に基づいて、現場作業員が所定の日時に所定の作業現場にいるかどうかを判断する。
【選択図】図１【図１】
0005973095.tif 000002
【図２】
0005973095.tif 000003
【図３】
0005973095.tif 000004
【図４】
0005973095.tif 000005
【図５】
0005973095.tif 000006
【図６】
0005973095.tif 000007
【図７】
0005973095.tif 000008
【図８】
0005973095.tif 000009
【図９】
0005973095.tif 000010
【図１０】
0005973095.tif 000011